(57)【要約】【課題】ディスプレイの表示画面を分割して用いる場合に、その分割表示された画面のそれぞれについてその表示特性を調整可能としたＦＤＰ（フラットパネルディスプレイ）およびこれを用いる表示方法を提供すること。【解決手段】ＦＰＤパネルと、画面を分割表示する機能とを有するＦＤＰであって、分割表示されるサブ画面各々の輝度および／または階調特性を独立に設定する手段を有することを特徴とするもの。前記サブ画面各々の輝度および／または階調特性を独立に設定する手段としては、前記ＦＤＰパネルを含むモニタユニット上に備えられているルックアップテーブル（ＬＵＴ）を用いるもの、または、前記モニタユニットに接続されるビデオカード上に備えられているＬＵＴを用いることが好ましい。【選択図】図１
2004170576.tif 000002
【特許請求の範囲】
【請求項１】
フラットパネルディスプレイ（ＦＰＤ）パネルと、画面を分割表示する機能とを有するフラットパネルディスプレイであって、
前記分割表示される画面（サブ画面）各々の輝度および／または階調特性を独立に設定する手段を有することを特徴とするフラットパネルディスプレイ。
【請求項２】
前記サブ画面各々の輝度および／または階調特性を独立に設定する手段が、前記ＦＤＰパネルを含むモニタユニット上に備えられているルックアップテーブル（ＬＵＴ）を用いるものであることを特徴とする請求項１に記載のフラットパネルディスプレイ。
【請求項３】
前記サブ画面各々の輝度および／または階調特性を独立に設定する手段が、前記モニタユニットに接続されるビデオカード上に備えられているＬＵＴを用いるものであることを特徴とする請求項１に記載のフラットパネルディスプレイ。
【請求項４】
前記ＦＰＤパネルが液晶ディスプレイ（ＬＣＤ）パネルもしくは有機エレクトロルミネッセンス（有機ＥＬ）パネルであることを特徴とする請求項１〜３のいずれか１項に記載のフラットパネルディスプレイ。
【請求項５】
前記ＦＰＤパネルがＬＣＤパネルであり、前記サブ画面各々の輝度および／または階調特性を独立に設定する手段が、前記ＬＣＤパネルのソースドライバ参照電圧の調整を行う手段であることを特徴とする請求項１に記載のフラットパネルディスプレイ。
【請求項６】
前記ＦＰＤパネルが、データ供給源にデジタル接続されるＱＸＧＡ以上の解像度を有するＦＰＤパネルであることを特徴とする請求項１〜５のいずれか１項に記載のフラットパネルディスプレイ。
【請求項７】
請求項１〜６のいずれか１項に記載のフラットパネルディスプレイを用いる表示方法であって、
表示する画像の種類により、前記サブ画面の輝度および／または階調特性を変更することを特徴とする表示方法。
【請求項８】
前記サブ画面の輝度および／または階調特性の変更は、データ供給源から送られる付属情報に基づいて行うことを特徴とする請求項７に記載の表示方法。
【発明の詳細な説明】
【０００１】
【発明の属する技術分野】
本発明はフラットパネルディスプレイ（以下、ＦＰＤという）およびこれを用いる表示方法に関し、特に、表示画面を分割して表示を行うＦＰＤおよびこれを用いる表示方法に関する。
【０００２】
【従来の技術】
例えば、医用画像の分野においては、ＭＲＩ診断装置，Ｘ線診断装置，ＦＣＲ（富士コンピューテッド・ラジオグラフィ：富士写真フィルム（株）商品名、以下、ＣＲという）診断装置等の医療用診断装置で撮影された診断画像は、通常、Ｘ線フィルム等の画像記録フィルムに記録されて光透過性の画像として再生される。この診断画像が再生されたフィルムは、シャーカステンと呼ばれる観察装置にセットされて、背面から光を照射された状態で観察され、診断が行われる。
【０００３】
これに対して、近年、超音波診断等をも含めた医療用診断装置で撮影された診断画像を、ＣＲＴ（いわゆる、ブラウン管表示装置）やＬＣＤ（液晶表示装置）などのディスプレイに表示して、観察／診断することが行われるようになってきている（電子シャーカステンと呼ばれる）。
【０００４】
フィルム上に再生された画像を用いて診断を行う場合には、いわば、画像は固定されてものであり、シャーカステンの輝度や観察環境による若干の違いはあるものの、基本的には、異なる場所，異なる時点においても、同じ画像を観察して診断を行うことができる。
しかしながら、ディスプレイ画像を用いて診断（以下、これをディスプレイ診断という）を行う場合には、固定されているのは画像データであって、表示画像すなわち診断画像は、ディスプレイの種類や状態、さらには経時的な変動等によって変化してしまう。
【０００５】
このような、フィルム上の画像とディスプレイ画像との違いは、誤診の原因ともなり得る重大な問題である。そのため、ディスプレイ診断を行う場合には、ディスプレイの状態を適正に保つための、ディスプレイの品質管理（より具体的には、画質管理ともいうべきものであり、通常、ＱＣとよばれる）が極めて重要である。
【０００６】
例えば、ＣＲＴでは経時等によって輝度劣化が生じた場合には、電子ビーム出力を強くして、所定の輝度を回復することが行われる。
また、ＬＣＤでは経時によってバックライトの輝度劣化が生じた場合には、電圧調整を行って、所定の輝度を回復することが行われる。
【０００７】
ところで、ディスプレイは、通常、ある特性（輝度，階調等）に調整されている。しかし、上述のようなディスプレイ診断を行う場合には、ある患者についての、種類の異なる複数の診断装置により撮影された画像を観察・診断に供する場合がある。この場合に問題となるのは、ディスプレイが本来有する特性とは異なる特性で表示すべき画像については、新たな変換テーブルを加えて、その差分を埋める必要が生ずる。
【０００８】
この場合には、非線形変換を複数段重ねることになるので、ビット分解能の劣化等の問題が発生する。これに対処するには、特性の異なる複数台のディスプレイを用意すればよいわけではあるが、これでは設備費が嵩むという別の問題が生ずることになる。
【０００９】
また、ディスプレイ診断を行う場合には、ある患者についての、異なる診断装置により撮影された種類の異なる複数の画像を並べて観察・診断に供することが必要な場合もある。このような場合には、できれば、１台のディスプレイ上に、複数種の画像を並べて表示できることが好ましいが、これには、各表示領域における表示特性をそれぞれの画像に合ったものにできることが前提となる。
【００１０】
ここで、ディスプレイの表示特性を調整する技術としては、例えば、特許文献１には、ディスプレイの画面表示の明るさに応じて、画面の輝度を制御する機能を備えた装置が、また、特許文献２には、ディスプレイにおいて、その表示画面上の位置（実際には、ある広がりを有する領域）毎にその位置における表示画像の階調特性を制御する機能を備えた装置が開示されている。
【００１１】
前者は、例えば、いわゆるアクティブなウィンドウの表示のＲＧＢ輝度をグレイスケールに換算して表示の明るさを求め、この結果に応じて画面の輝度を制御するというものである。
また、後者は、ディスプレイにおいて、表示画面上の位置（領域）毎にその位置における表示画像の階調特性を補正する階調補正手段を有し、表示画面全面の階調特性を均一化するように制御するというものである。
【００１２】
一方、画面分割表示を行うことについては、例えば、特許文献３を始めとして多数の開示がある。
しかしながら、従来は、例えば特許文献３に開示されているような方法により表示された分割画面のそれぞれについて、個別に輝度あるいは階調等の表示特性を制御することは不可能であった。
【００１３】
【特許文献１】
特開２０００−７２９９８号公報
【特許文献２】
特開平１１−９８４３８号公報
【特許文献３】
特開平５−８０７１４号公報
【００１４】
【発明が解決しようとする課題】
本発明は、上記事情に鑑みてなされたもので、その目的とするところは、従来の技術における問題を解消し、ディスプレイの表示画面を分割して用いる場合に、その分割表示された画面のそれぞれについてその表示特性を調整可能としたＦＤＰおよびこれを用いる表示方法を提供することにある。
【００１５】
【課題を解決するための手段】
上記目的を達成するため、本発明に係るＦＤＰは、ＦＰＤパネルと、画面を分割表示する機能とを有するＦＤＰであって、分割表示されるサブ画面各々の輝度および／または階調特性を独立に設定する手段を有することを特徴とする。
【００１６】
ここで、本発明に係るＦＤＰにおいては、前記サブ画面各々の輝度および／または階調特性を独立に設定する手段が、前記ＦＤＰパネルを含むモニタユニット上に備えられているルックアップテーブル（ＬＵＴ）を用いるものであるか、または、前記モニタユニットに接続されるビデオカード上に備えられているＬＵＴを用いるものであることが好ましい。
【００１７】
また、本発明に係るＦＤＰにおいては、前記ＦＰＤパネルとして、液晶ディスプレイ（ＬＣＤ）パネルもしくは有機エレクトロルミネッセンス（有機ＥＬ）パネルを用いることが好ましく、さらに、前記ＦＰＤパネルがＬＣＤパネルである場合には、前記サブ画面各々の輝度および／または階調特性を独立に設定する手段が、前記ＬＣＤパネルのソースドライバ参照電圧の調整を行う手段であることが好ましい。なお、前記ＦＰＤパネルとしては、データ供給源にデジタル接続されるＱＸＧＡ以上の解像度を有するＦＰＤパネルを用いることが好ましい。
【００１８】
一方、上述のような特徴を有する本発明に係るＦＤＰを用いる表示方法は、表示する画像の種類により、前記サブ画面の輝度および／または階調特性を変更することを特徴とするものである。ここで、前記サブ画面の輝度および／または階調特性の変更は、データ供給源から送られるデータの付属情報に基づいて行うことが好ましい。
【００１９】
【発明の実施の形態】
以下、添付の図面に基づいて、本発明の実施の形態を詳細に説明する。
【００２０】
図１は、本発明の一実施形態に係るＬＣＤパネルを用いたディスプレイの要部（モニタユニット）を示す図である。本実施形態に係るモニタユニット１０は、ＱＸＧＡ規格（２０４８×１５３６画素）のＬＣＤパネル１２を有しており、このＬＣＤパネル１２は、図に示すように、＃１，＃２の２つの部分（サブ画面）に分割されており、これらのサブ画面のそれぞれに、データ電極ドライバ，走査電極ドライバ等の液晶駆動手段（図示は省略）が接続されている。
【００２１】
また、上記モニタユニット１０には、画像データ供給部１６からＬＣＤパネル１２に供給される表示用の画像データを所望の階調に変換するための画像データの変換テーブル（ルックアップテーブル、以下、ＬＵＴという）１４ａ，１４ｂが、ＤＶＩ（デジタル・ビデオ・インタフェイス）を介して上記サブ画面のそれぞれに対応して備えられている。
【００２２】
なお、図示例では、ＬＵＴ１４ａ，１４ｂをモニタユニット１０内に配置した例を示したが、モニタユニット１０と画像データ供給部１６とのインタフェイスとしてはビデオカードを用いてもよく、この場合には、上記ＬＵＴ１４ａ，１４ｂを、ビデオカード内に配置する構成とすることも可能である。この場合の構成例を、図２に示す。図２において、ＬＵＴ１４ａ，１４ｂは上記ＬＵＴ、１８はビデオカードを示している。
【００２３】
また、周知のように、ＬＣＤパネル１２の裏面にはバックライトがセットされており、このバックライトへの電源供給部等も設けられているが、ここでは図示を省略している。
【００２４】
本実施形態に係るモニタユニット１０においては、上述のように配置されたＬＵＴ１４ａ，１４ｂを用いて、ＬＣＤパネル１２上の２つのサブ画面への表示画像の階調を所望の階調とするように制御することにより、前述の２つのサブ画面に、好ましい再現階調が異なる画像、例えば、ＣＲ画像とＣＴ（コンピュータ断層撮影）画像とを並べて表示することを可能とするものである。
【００２５】
ここでは、ＬＵＴ１４ａ，１４ｂを用いて、ＬＣＤパネル１２のサブ画面＃１の階調設定をログリニアに、同＃２の階調設定をＤＩＣＯＭ規格（ＤｉｇｉｔａｌＩｍａｇｉｎｇ  ａｎｄＣｏｍｍｕｎｉｃａｔｉｏｎｓ  ｉｎＭｅｄｉｃｉｎｅ  、医用画像と通信の標準規格）に規定されるＧＳＤＦ（ＧｒａｙｓｃａｌｅＳｔａｎｄａｒｄ  ＤｉｓｐｌａｙＦｕｎｃｔｉｏｎ  ）のいわゆるＰＬ（Ｐｅｒｃｅｐｔｕａｌ  Ｌｉｎｅａｒ  ）階調にそれぞれ設定して、図３に示すように、上述の２種類の画像の表示を可能としているものである。
【００２６】
すなわち、図３に示すように、ＬＣＤパネル１２のサブ画面＃１に高輝度・ログリニア階調での表示が好ましいＣＲ画像を、また、サブ画面＃２には、人間の視覚に合わせた階調であるＰＬ階調での表示が好ましいＣＴ画像を、それぞれ表示するようにしている。
【００２７】
なお、ここで、２つのサブ画面に表示する画像データの種類については特に制約はなく、例えば、ＬＣＤパネル１２としてモノクロのものを用いる場合であれば、上述のＣＲ画像とＣＴ画像との組み合わせの他、ＣＲ画像とＵＳ（超音波診断）画像との組み合わせ、あるいはＣＲ画像とＭＲＩ（磁気共鳴イメージング）画像、さらには、ＭＲＩ画像とＵＳ画像との組み合わせ等、種々の組み合わせが可能である。
【００２８】
また、もちろん、上述の２つのサブ画面に表示する画像データとして同一の種類を設定するすることも可能であり、ＣＴ画像などのように枚数の多い画像を並べて観察する場合にはこのような表示方式にも対応させることが可能である。
図４に、この場合の表示画面例を示す。図４に示す例では、２つのサブ画面＃１，＃２の両方をＰＬ階調での表示が可能な状態に設定して、同一患者のＣＴ画像を両画面にまたがって表示するようにしたものである。
【００２９】
さらに、２つのサブ画面の両方を使って１枚の大きな画像を表示する場合には、図５に示すように、例えば両サブ画面をログリニア設定として、ここに１枚の大きなＣＲ画像を表示すればよい。この場合、２つのサブ画面の間はシームレスすなわち継ぎ目なしで表示することが可能である。
【００３０】
またさらに、２つのサブ画面に表示するデータの一方は、電子カルテのようなテキストデータからなるものであってもよい。図６に、この場合の表示画面例を示す。図６に示す例では、カラー表示用のＬＣＤパネル１２を用いて、２つのサブ画面のうち＃１には電子カルテを、＃２には参照するＰＬ階調のＣＴ画像を表示している。
【００３１】
ここで、ＬＣＤパネル１２としてカラー表示が可能なのものを用いている理由は、電子カルテを表示する場合には、これに付随する画像としてカラー画像（例えば、内視鏡画像等）が含まれている場合もあることから、サブ画面の一方を通常のカラー画像用のγ＝２．２の設定とし、他方を上述のＣＴ画像，ＭＲＩ画像等のモノクロ表示用に設定するという使い方をしているものである。
【００３２】
また、２つのサブ画面間で、一方の画面内に設定したアイコンをクリックすることにより、他方の画面にそれに対応する画像を表示させるというようなサブ画面間での連動動作を伴う表示を行わせるように画面を構成し、制御することも可能である。
【００３３】
なお、上記各実施形態は本発明の一例を示したものであり、本発明はこれらに限定されるべきものではなく、本発明の要旨を逸脱しない範囲内において適宜の変更または改良を行ってもよいことはいうまでもない。
【００３４】
例えば、上記実施形態においては、ＦＰＤパネルとしてＬＣＤパネルを用いているが、有機ＥＬ等、他のＦＰＤパネルを使用することができることはいうまでもない。
【００３５】
また、上記実施形態においては、ＬＵＴをモニタユニット内に配置した例を示したが、前述のように、モニタユニットと画像データ供給部とのインタフェイスとしてビデオカードを用い、ＬＵＴをこのビデオカード内に配置する構成とすることも可能である。
【００３６】
さらに、これも前述したように、ＦＰＤパネルとしてＬＣＤパネルを用いた場合には、前記サブ画面各々の輝度および／または階調特性を独立に設定する手段として、ＬＣＤパネルのソースドライバ参照電圧の調整を行うように構成することも可能である。
【００３７】
【発明の効果】
以上、詳細に説明したように、本発明によれば、ディスプレイの表示画面を分割して用いる場合に、その分割表示された画面のそれぞれについてその表示特性を調整可能としたＦＤＰおよびこれを用いる表示方法を実現できるという顕著な効果を奏するものである。
【００３８】
より具体的には、ディスプレイの表示画面を分割して、その各画面に表示輝度や階調特性の異なる画像あるいはテキスト情報を、適切な輝度，階調特性で表示することが可能になるので、ディスプレイ診断を行う際の信頼性が著しく向上するという実用状の効果を得ることができる。
【図面の簡単な説明】
【図１】本発明の一実施形態に係るＬＣＤパネルを用いたモニタユニットを示す図である。
【図２】他の実施形態に係るＬＣＤパネルを用いたモニタユニットを示す図である。
【図３】ＬＣＤパネル１２の２つのサブ画面に異なる階調特性の画像を表示した状況を示す図である。
【図４】ＬＣＤパネル１２の２つのサブ画面に同一の階調特性の画像を表示した状況を示す図である。
【図５】ＬＣＤパネル１２の２つのサブ画面を１つの画面として用いて大きな画像を表示した状況を示す図である。
【図６】カラー表示が可能なＬＣＤパネル１２を用いて、その２つのサブ画面に異なる階調特性の画像を表示した状況を示す図である。
【符号の説明】
１０  モニタユニット
１２  ＬＣＤパネル
１４ａ，１４ｂ  ＬＵＴ
１６  画像データ供給部
１８  ビデオカード
【図１】
2004170576.tif 000003
【図２】
2004170576.tif 000004
【図３】
2004170576.tif 000005
【図４】
2004170576.tif 000006
【図５】
2004170576.tif 000007
【図６】
2004170576.tif 000008